(57)【特許請求の範囲】
【請求項１】
外壁材表面に吹き付けられるスプレーパターンが、円形〜楕円形となるスプレーガンを、外壁材の移送方向に直交する方向に多数配列し、前記スプレーガンのスプレーパターンが前記直交方向へ実質的に途切れることなく連続するようにした外壁材の塗装装置において、前記スプレーガンが、霧化用エアー通路と塗料通路とが同心状に形成されたベース体と、塗料を噴霧状に噴出する噴霧口を有したカバー板とを備えてなり、前記カバー板の噴霧口において前記スプレーガンの噴射口の先端開口部のみが突出し、かつスプレーガンの噴射口の周囲に霧化用エアー通路が開口し、多数のスプレーガンを隣接配置することによりスプレーガン下面に、各スプレーガンのカバー板によって配列方向に沿って連続した平面が形成されることを特徴とする外壁材の塗装装置。
【発明の詳細な説明】
【０００１】
【発明の属する技術分野】
この発明は外壁材の塗装装置に関する。
【０００２】
【従来の技術】
外壁材として広く使用されている繊維補強セメント板は、そのままであると表面の地色が灰白〜灰黒色で意匠性に乏しいため、表面防水性付与を兼ねて各種色彩による装飾を施すことが行われる。
【０００３】
ところで、これら外壁材の塗装装置としてスプレーガンを用いた塗装方式が広く知られている。
ところで、このスプレーガンを用いた塗装方式において、多数のスプレーガンを外壁材の移送方向に対して直交する方向に配列し、板材の移送と共に適宜スプレーから制御信号に基づき間欠的ないしは連続的に塗料を噴射して外壁材表面に着色塗装することが行われる。
【０００４】
【発明が解決しようとする課題】
上記のスプレー塗装に使用される塗装装置としては、従来は図５に示すように先の尖った形状のスプレーノズル１…１を一列に配列した装置が一般に使用されてきた。
【０００５】
しかしながら、このような形式の塗装装置の場合、スプレーノズル１から塗料を噴出すると、スプレーノズル１の側面周囲１ａの気流が噴出流Ｚの影響を受けて乱流Ｓが生じ、このため噴出口からの塗料Ｚの吹き出し方向が変化することがある問題があった。
【０００６】
特に、スプレーパターンを円形〜楕円形として塗装する場合、噴出が間欠的になるので、前記乱流の影響が出やすく塗装位置が目標位置から外れる問題があった。
【０００７】
また、噴射した塗料が滴となってノズル先端に溜まると目詰まりなど故障の原因になるため、適宜ノズル先端を洗浄する必要があるが図５に示したような筒状ノズルの先端を並列させた場合は、一本毎のスプレーノズルの洗浄が面倒となる問題もあった。
【０００８】
この発明は、上記問題点を解消し、噴射口から塗料を噴射しても乱流による影響を無くし、塗装条件を安定させると共にノズル先端の洗浄も容易に実施することを課題としてなされたものである。
【０００９】
【課題を解決するための手段】
即ち、請求項１の外壁材の塗装装置は、外壁材表面に吹き付けられるスプレーパターンが、円形〜楕円形となるスプレーガンを、外壁材の移送方向に直交する方向に多数配列し、前記スプレーガンのスプレーパターンが前記直交方向へ実質的に途切れることなく連続するようにした外壁材の塗装装置において、前記スプレーガンが、霧化用エアー通路と塗料通路とが同心状に形成されたベース体と、塗料を噴霧状に噴出する噴霧口を有したカバー板とを備えてなり、前記カバー板の噴霧口において前記スプレーガンの噴射口の先端開口部のみが突出し、かつスプレーガンの噴射口の周囲に霧化用エアー通路が開口し、多数のスプレーガンを隣接配置することによりスプレーガン下面に、各スプレーガンのカバー板によって配列方向に沿って連続した平面が形成されることを特徴とする。
【００１０】
従って、この発明の外壁材の塗装装置によれば、スプレーガンの噴射口は、平面からわずかに頭出した状態とされているので、噴射口から塗料を噴射しても大きな乱流が生じることがなく安定した塗装条件とできる。また、一列に配列されるノズル先端部分は、平坦な底面から僅かに飛びでた状態なので、平坦底面全体をぬぐうだけでノズル先端の拭き掃除が完了する。
【００１４】
【発明の実施の形態】
次に、この発明の実施の形態を説明する。
図１は、実施の形態である外壁材の塗装装置の正面図、図２は図１に示した塗装装置のスプレーガンの側面図、図３は図２のスプレーガンの正面図である。
実施の形態１
図１において、１…１は多数配列されたスプレーガンを示し、外壁材１０が移送される搬送コンベヤ１１上に、その移送方向に直交する方向に基枠２によって支持されている。
【００１５】
図１において、各スプレーガン１の外壁材１０表面に対する下面１ｂは、図２、図３にも示すように平坦面とされ、多数隣接して配列した場合に図１に示すように下面１ｂによって連続した平坦な面が形成されるようになっている。
そして、上記下面１ｂと噴射口１ｃとの関係は図２に示す構造とされている。
【００１６】
すなわち、塗装用スプレーノズル１は、ベース体１ｅと塗料を噴霧状に噴出する噴霧口１ｃを有したカバー板１ｄとを備えてなり、ベース体１ｅには、霧化用エアー通路１３と塗料通路３とが同心状に形成され、かつ、霧化用エアー通路１３に連通する霧化用エアー供給口４および、通路３に連通する塗料供給口５が設けられている。
【００１７】
そして、ベース体１ｅの霧化用エアー通路１３と塗料通路３の同心状開口部にカバー板１ｄが噴霧口１ｃを位置させて固定されている。
上記噴霧口１ｃに対しては先端を円錐状に尖らせた開閉ニードル６が、塗料通路３に対して同心状に配置され、また、この開閉ニードル６は先端６ａを噴霧口１ｃに挿入ないし臨ませた状態で軸方向に矢印で示す方向に移動可能とされている。
【００１８】
この開閉ニードル６は後端がソレノイド７のプランジャ８に直接固定されており、ソレノイド７により作動するプランジャ８の動きが直接的に開閉ニードル６に伝達されるようになっている。
【００１９】
図中９は、開閉ニードル６と塗料通路３との間をシールする面状のシール部材を示し、外周縁９ａが前記スプレーノズルのベース体１ｅに密に取付けられ、内周縁９ｂが前記開閉ニードル６外周面に同様に密に取付けられ、開閉ニードル６の移動にあわせダイヤフラム状に動くことが出来るようにされている。
【００２０】
このダイヤフラム状のシール材９は塗料と接するので、塗料の圧送圧力、例えば０．０１〜０．１Ｍｐａ程度の圧力に耐える強度とされている。
このための構造として、例えばＮＢＲ、ＣＲなどのゴム板製、あるいは強靭な化学繊維より成る織布、不織布を芯とし、両面に上記ゴム層を一体に形成したゴム引き布などが使用され、具体的には強靭な材質よりなる織布、不織布の表裏面に上記ゴム層を積層一体化してなる三層構造のシート体とされる。
【００２１】
また、１０はソレノイド７用のブラケットを示し、スプレーノズルのベース体１ｅに固定した支持部材１１に調節ねじ１２を介して取付けられている。
従って、多数のスプレーガン１…１を配列し、平坦な下面２を形成した状態で噴射口１ｃから塗料Ｚを噴射すると、図３に示すように塗料噴射に伴う乱流の発生するスペースがないため、塗料の噴出方向に影響を受けず、制御通りの塗装が可能となる。
【００２２】
また、スプレーガン１の噴出口１ｃがわずかにカバー板表面１ｂから飛び出ただけであるので、噴出口１ｃおよびカバー板表面１ｂの拭き掃除が非常に容易にできる。
【００２３】
上記実施の形態として、個々のスプレーガンの下面を平坦面とし、配列することによってこの下面で一連の平坦面を形成する場合を示したが、図４に示すように、先の尖ったスプレーノズル１…１を多数配列した外壁材の塗装装置などの場合は、噴出口１ｃ先端のみを頭出させる貫通孔１４ａを穿設した基板１４を塗装装置の下面に当接して固定し、該基板１４によってスプレーガン１下面に、配列方向に沿って連続した平面２を形成しても良い。
【００２４】
この場合は、既存の外壁材の塗装装置であっても、乱流の影響無く塗装を可能にすることができる。
【００２５】
【発明の効果】
この発明は、以上のように構成されているので、請求項１の発明によれば、外壁材表面をスプレー装置を用いて塗装するにあたり、噴射口から塗料が勢い良く噴射されても、その気流による乱流の生じるスペースがないため、噴射方向の変化が生じにくく、正確な塗装制御が可能となる。
【００２６】
また、底面から噴出口がわずかに飛び出ているだけであるから、平滑な底面に沿ってローラブラシを走行させ、あるいは拭式布で拭えば、噴出口に付着した塗料滴の清掃が容易に出来、保守管理が容易となる。
【００２７】
請求項２の外壁材の塗装装置によれば、スプレーガンを配列するだけで一連に繋がった下面で平坦面が形成される。従って、外壁材の塗装装置として容易に組立が可能となり安価に提供できる。
【００２８】
請求項３の外壁材の塗装装置は、従来の装置であっても基板の当接だけで、噴射口周辺に生じる乱流を防止できるので、従来装置の改良が容易に可能となる等の効果を有する。
【図面の簡単な説明】
【図１】外壁材の塗装装置の要部正面図である。
【図２】外壁材の塗装装置の一つのスプレーガンの側断面図である。
【図３】外壁材の塗装装置の一つのスプレーガンの正面図である。
【図４】外壁材の塗装装置の他の構成例の要部正面図である。
【図５】従来の塗装装置の要部正面図である。
【符号の説明】
１   スプレーガン
１ｂ 下面
１ｃ  噴射口
１ｄ  カバー板
１ｅ  ベース体
６   開閉ニードル
１０  外壁材
【図１】
0004039802.tif 000002
【図２】
0004039802.tif 000003
【図３】
0004039802.tif 000004
【図４】
0004039802.tif 000005
【図５】
0004039802.tif 000006